【手続補正書】
【提出日】平成15年6月24日(2003.6.24)
【手続補正１】
【補正対象書類名】明細書
【補正対象項目名】全文
【補正方法】変更
【補正の内容】
【発明の名称】垂直軸風水車、波力発電装置、風力発電装置及び小水力発電装置
【特許請求の範囲】
【請求項１】（イ）回転軸（６）またはそれと一体となった内筒（７）の周りに、軸直角方向に曲面または斜面により凹状を成す複数の回転翼（５）を配置した回転体（２０）と、その周りにケーシング（８）を具備した風水車において、ケーシング（８）を軸方向に二等分する垂直面より片側に軸直角方向に第１流路（１）と第３流路（３）を設けて回転翼（５）凹面を第１流路（１）向きとし、反対側に第２流路（２）と第４流路（４）を設ける。
（ロ）第１流路（１）側から流入する流れ（以下、「往流」と称する）に対して開路する開閉路手段を第１流路（１）と第３流路（３）内に設け、往流とは反対方向の流れ（以下、「復流」と称する）に対して開路する開閉路手段を第２流路（２）と第４流路（４）内に設ける。
以上の構成を特徴とする垂直軸風水車。
【請求項２】（イ）回転翼（５）がその凹面で流体の流れを受けている側で内筒（７）の外周面に対して開き、その反対側では閉じることができるよう、その下部を小軸（１７）を介して内筒（７）に連結するとともに、所定角以上に開かないようにする手段と開いた時の衝撃を緩和する手段を設ける。
（ロ）第１流路（１）と第２流路（２）間のケーシング（８Ａ）は、その間の流体流れを最少限とするよう回転翼（５）との間隙を第１流路（１）側に向かって滑らかに縮小したものとし、これらと回転軸（６）を基軸として軸対称に第４流路（４）と第３流路（３）側についても同様とする。
以上の構成を特徴とする請求項１の垂直軸風水車。
【請求項３】（イ）回転軸（６）またはそれと一体となった内筒（７）の周りに、軸直角方向に曲面または斜面により凹状を成す複数の回転翼（５）を配置した回転体（２０）と、その周りにケーシング（８）を設け、軸直角方向に該ケーシング（８）の何れかの側面寄りに第１流路（１）と第３流路（３）を設け、第１流路（１）及び第３流路（３）の断面積を外側開口部に向かって拡大し、回転翼（５）凹面を第１流路（１）向きとする。
（ロ）請求項２（イ）に同じ。
以上の構成を特徴とする垂直軸風水車。
【請求項４】回転軸（６）を水平方向とし、回転翼（５）の先端寄りに水中での浮力を与え、第１流路（１）と第３流路（３）をケーシング（８）の上側に設けたことを特徴とする請求項２または請求項３の垂直軸風水車。
【請求項５】請求項２または請求項４の垂直軸風水車を用い、第１流路（１）及び第２流路（２）内に波力による海水の往復流を導入し、第３流路（３）及び第４流路（４）または該両流路を集合させた第２往復流管（１０）を、それらの外側に設けた貯漕（１６）に接続して発電を行うようにしたことを特徴とする波力発電装置。
【請求項６】回転軸（６）を水平方向とした請求項３（イ）の特徴を有する垂直軸風水車を用いたことを特徴とする風力発電装置。
【請求項７】回転軸（６）を水平方向とした請求項３または請求項４の垂直軸風水車を用い、ケーシング（８）の下面に排砂門（２６）と下流側端に排砂扉（２７）をそれと一体化して設け、上流側には漂流物の流入を防止するための格子（２９）を付帯し、既設の堰の下流側面に設置できるようにしたことを特徴とする小水力発電装置。
【発明の詳細な説明】
【０００１】
【発明の属する技術分野】
本発明は、流体の流れ方向に対して直角方向に回転軸を有し（本発明では垂直軸風水車の垂直とはこの意味であって、回転軸は垂直に設置するとは限らない）、比較的低圧低速の流体流れに対しても効率よく回転させるようにした、ケーシングを具備する垂直軸風水車、及び該垂直軸風水車を用いたことを特徴とする波力発電装置、風力発電装置及び小水力発電装置に関する。
【０００２】
【従来の技術】
流体の流れ方向に対して直角方向の回転軸を有する開放形風水車は、全方向の流れに対し作動して一方向に回転する特徴を持っているが、高速になるにつれ回転翼の凸面側の抵抗が大きくなり、特に液体流の場合にそれが大きいという欠点がある。この欠点に対し、開放形垂直軸風車の凸面側を遮蔽板で覆う案は公知であるが、ケーシングとそれに固定した流路を有する風水車を往復流用に特化させた技術は知られていない。このような背景から、従来の波力発電装置では往復流に対して一方向に回転するウェルズタービン等のプロペラ形が用いられ、一方向風車を用いない場合は空気流を弁機構により一方向に整流した後に軸流形風車を回転させる方法も行われているが、未だ広く実用化されるほどの経済性が得られていない。また、風力発電装置については専らプロペラ形風車が用いられているが、大型にするほどその支柱を高く太くせざるを得ず、装置コストの増大と保守の困難性を増す欠点がある。小水力発電装置についてはクロスフロー水車やチューブラ水車等が有利とされているが、極めて低落差の条件下では効果を上げることができない。
【０００３】
【発明が解決しようとする課題】
本発明は、流体の流れ方向に対して直角方向の回転軸を有する風水車の上記のような欠点を改善し、回転翼凸面側の抵抗を減少させることによりエネルギー変換効率を改善したことを特徴とする、ケーシングを具備した垂直軸風水車、及びそれを用いた波力発電装置、風力発電装置及び小水力発電装置の提供を目的とするものである。
【０００４】
【課題を解決するための手段】
上記の目的を達成するための請求項１の垂直軸風水車は、ケーシング８を設けることにより全方向の流れに対して作動する性質を奪い、改めて４つの流路と開閉路手段を配置することにより、二方向の流れに対してのみ作動するようにするとともに、回転翼５の凸面側の抵抗を軽減したものである。即ち、回転軸６またはそれと一体となった内筒７の周りに、軸直角方向に曲面または斜面により凹状を成す複数の回転翼５を配置した回転体２０と、その周りにケーシング８を具備した風水車において、ケーシング８を軸方向に二等分する垂直面より片側に、軸直角方向に第１流路１と第３流路３を設けて回転翼５凹面を第１流路向きとし、反対側に第２流路２と第４流路４を設け、それら２組の流路内に往流に対して開路する開閉路手段と復流に対して開路する開閉路手段を各々設け、往流は第１流路１から第３流路３へ、復流は第４流路から第２流路へ流れるようにすることにより、往復流を回転翼５の凹面側にのみ積極的に押し当て、凸面側は滞留した流体にのみ面してその流体抵抗を減じたことを特徴とする。
【０００５】
請求項２の垂直軸風水車は、上記請求項１の風水車を更に改善し、回転翼５がその凹面に流体流れを受けている側で内筒７の外周面に対して所定角に開き、その反対側では閉じることができるようにし、開いた時の衝撃を緩和する手段を設ける（以下、「請求項２（イ）の特徴」と称する）とともに、第１流路１と第２流路２間のケーシング８Ａはその間の流体流れを最少限とするよう回転翼５との間隙を第１流路１側に向かって滑らかに縮小したものとし、これらと回転軸６を基軸として軸対称に第４流路４と第３流路３側についても同様とすることにより、回転翼５の凸面側の流体抵抗を著しく軽減したことを特徴とする。
【０００６】
請求項３の垂直軸風水車は、請求項２の垂直軸風水車を一方向流に利用できるようにしたものであって、軸直角方向にケーシング８の何れかの側面寄りに第１流路１と第３流路３の１組のみの流路を設け、第１流路１及び第３流路３の断面積を外側開口部に向かって拡大し、回転翼５凹面を第１流路１向きとし、更に請求項２（イ）の特徴を有し、弁機構は不要としたことを特徴とする。
【０００７】
請求項４の垂直軸風水車は、回転軸６を水平方向とし、該軸より上側で回転翼５が開くようにした水流利用の請求項２または請求項３の垂直軸風水車であって、回転翼５の先端寄りに空洞を設けるなどして浮力を与えたことを特徴とする。
【０００８】
波力を原動力として海水、海水以外の液体、または空気の３種類の往復流を得ることができるが、そのうち海水以外の液体の往復流を利用した発電装置としては、特願２０００−１５３８７１で既に出願されており、請求項２の垂直軸風水車は該出願による発電装置に利用することができる。また、空気の往復流を利用した発電を行うには請求項１の風水車を利用し、第１流路１及び第２流路２内に空気の往復流を導入し、第３流路３及び第４流路４を外気に通じさせれば良い。これらに対し、請求項５記載の波力発電装置は、請求項２または請求項４の垂直軸風水車を用い、第１流路１及び第２流路２内に直接海水の往復流を導入し、第３流路３及び第４流路４または第２往復流管１０をそれらの外側に設けた貯漕１６に接続して発電するようにしたことを特徴とする。
【０００９】
請求項６記載の風力発電装置は、上記請求項３において回転軸６を水平方向とし、請求項２（イ）の特徴を除外した垂直軸風水車を用い、主として水平方向寸法の拡大を容易としたことを特徴とする。
【００１０】
請求項７記載の小水力発電装置は、既設の堰を利用してその下流側面に設置できることを目的としたもので、回転軸６を水平方向とした請求項３または請求項４の垂直軸風水車を用い、ケーシング８の下面に排砂門２６と下流側端に排砂扉２７を設けてそれと一体化し、上流側には漂流物の流入を防止するための格子２９を付帯したことを特徴とする。
【００１１】
【発明の実施の形態】
以下、本発明の実施の形態を、添付図面に基づいて説明する。
【００１２】
図１は請求項１の垂直軸風水車の実施例を示す軸直角方向断面図である。先ず回転軸６を設け、その周りにそれとは直角方向に曲面または斜面により凹状を成す複数の回転翼５を内筒７を介して接合し、これらを軸方向に二等分する垂直面より片側に軸直角方向に第１流路１と第３流路３を設け、反対側に第２流路２と第４流路４を設けている。第１流路１及び第２流路２を集合させた第１往復流管９へ流体の往復流を導き、往流に対して開路する弁体１１を第１流路１内に設け、復流に対して開路する弁体１２を第２流路２内に設けている。更に、第３流路３内に往流に対して開路する弁体１３を、第４流路４内に復流に対して開路する弁体１４を設け、該両流路の外側にそれらを集合させた第２往復流管１０を設けている。但し、第１往復流管９及び第２往復流管１０は必須要素ではなく、それらの接合環境に応じ省略することも可能である。回転翼５、回転軸６及び内筒７から成る回転体２０の外側はケーシング８で覆われ、これに上記４つの流路を各々接合している。このように構成された垂直軸風水車は、往流が第１流路１から第３流路３へ、復流が第４流路４から第２流路２へ流れ、その何れに対しても常に回転翼５の凹面向きにのみ流体が圧送されるので、凸面側の流体抵抗を著しく軽減して効率良く回転エネルギーを取り出すことができる。尚、内筒７は回転軸６と一体になっており、回転翼５と回転軸６を連結するとともに、各流路を回転体２０の外周近傍に集中させる機能を有し、更にこれを中空体とすれば、流体が液体の場合その浮力により回転軸軸受６Ａへの負荷を軽減する機能も有するが、これを省略することも可能である。また、各弁体には弁座１５が各々配されており、各弁体と共同で各流路を開閉する機能を有する。しかし、これら開閉路手段には他の形態が幾つか考えられ、例えば流体流れ方向を感知して油圧で開閉する弁とすることもできるし、１枚の弁体で隣り合う２つの流路を開閉する切換弁とすることもでき、本発明ではその手段に拘らない。
【００１３】
図２は請求項２の垂直軸風水車の実施例を示す軸直角方向断面図である。図において、前述の請求項１の実施例と同様、ケーシング８の周りに第１流路１から第４流路４の４つの流路と、それらの内部に開閉路手段を設け、往流は第１流路１から第３流路３へ、復流は第４流路４から第２流路２へ流れるようにしている。そして、内筒７の周りに軸直角方向に曲面または斜面により凹状を成す複数の回転翼５を設けて回転軸６とともに回転体２０を構成し、図３に示すようにその下部に翼軸受５Ａを設けて小軸１７により回転翼５は揺動自在に内筒７の両側板７Ａ及び周方向リブ７Ｂに連結されている。また、小軸１７は内筒７の外周面から所定の高さの位置に取り付けられ、回転翼５の下部は翼軸受５Ａより所定寸法だけ突出させて翼足５Ｂを設けているので、回転翼５は所定角に開くと翼足５Ｂが内筒７外面及び軸方向リブ７Ｃに突き当たってそれ以上には開かない。回転翼５を所定角以上に開かないようにする手段は他にも様々な形態が考えられ、例えば軸方向リブ７Ｃを設けず翼足５Ｂのみにその機能を持たせても良く、本発明ではその手段に拘らない。このような構造の回転翼５は、凹面側に流体が圧送されると自動的に内筒７に対して所定角に開き、その反対側では凸面側が流体に押されて自動的に閉じる方向の力を受けるが、流速が大きいほど開いた時の衝撃が大きくなるので、図４にも示したように回転翼５下部に板ばね５Ｄを設け、開く時の衝撃を緩和する。該板ばね５Ｄは、回転翼５が閉じる時の初期動作を当然補助することにもなる。但し、この衝撃緩和手段は例えば板ばね５Ｄに代えて弾性材を貼付することも考えられ、本発明ではその手段に拘らない。
【００１４】
本構造では回転翼５が閉じる側のケーシングとの間隙が大きくなるので、その方向への流体流れを防止することが必要となるが、前述の弁機構に加えて図２に示すように、第１流路１と第２流路２間のケーシング８Ａは閉じた回転翼５との間隙を第１流路１側に向かって滑らかに縮小したものとし、更に該ケーシング８Ａの壁肉が最も内筒に接近した辺に弾性遮蔽板１９を設け、その前端辺は流体圧により回転翼５に押しつけられている。これらと回転軸６を基軸として軸対称に第４流路４と第３流路３側についても同様としているので、往復流何れの場合にも回転翼５が閉じる側への流体流れを防止することができる。該弾性遮蔽板１９は不可欠なものではなく、これを設けずとも弁機構により往流に対しては第４流路４、復流に対しては第１流路１が閉鎖されているので、多量の流体漏れは起こらない。本装置は回転軸６を垂直方向とすることもできるが、水平方向として第１水路１及び第３水路３を上側とする場合には、図４に詳細を示すように回転翼５の先端寄りに空洞を設けるなどして自重と均衡するほどの浮力を与えれば、請求項２に関わる請求項４の垂直軸風水車となり、往復流何れに対しても回転翼５が開きまたは閉じる動作が更に容易となる。このように構成された垂直軸風水車は、回転翼５の凸面側ではそれが閉じるうえに流体を滞留状態にするので、流体抵抗を最少限とし、往復流から極めて効率よく回転エネルギーを取り出すことができる。尚、本実施例の外観斜視は図８及び図１０に示すようなものとなる。
【００１５】
図５は請求項３の垂直軸風水車を、小水力発電に利用した実施例を示す断面図である。これに示すように、水流が第１流路１から第３流路３へ流れるよう第１流路１をケーシング８の下側面寄りに、第３流路３を上側面寄りに設け、両流路は各々外側開口部に向かって断面積を拡大し、請求項２（イ）の特徴を有する回転体２０を設けている。該垂直軸風水車は回転軸６を垂直方向にすることも可能ではあるが、本例のように水平方向とすれば、回転翼５の幅を容易に大きくすることができ、大量の流体からエネルギーを吸収できるので、小水力発電装置及び風力発電装置等に適する。また、回転翼５は下方向に移動するにつれ自重により開き、逆に上方向に移動するにつれ閉じる力が働き、回転翼５の開閉動作がより円滑に行われる利点がある。第１流路１は開口部を拡大しているから堰上部からの水流は加圧加速され、更に第３流路３によるドラフト効果も加わって、回転翼５を強力に押下し回転体２０を回転させ、回転体２０の外側に設けた発電機１８により発電する。浮遊物は格子２９を設けるなどして除去するが、堰への砂礫の堆積防止策として、本例では排砂門２６を設けており、増水時には排砂扉２７を上方向にスライドさせて開門させる構造としている。但し、図では排砂扉２７を引き揚げまたは押下する駆動装置の表示を省略している。排砂門２６の容量以上の増水時には、堰及び本発電装置を自由に越えて流出させる。
【００１６】
図６は請求項３に関わる請求項４の垂直軸風水車を、小水力発電に利用した実施例を示す斜視図、図７はそのＸ−Ｘ線における断面図、図４は該水車用の回転翼５の断面図である。回転翼５内部の先端寄りには翼空洞５Ｃが設けられており、水中で浮力が発生する。これにより、前記図５の例とは逆に回転翼５は上方向に移動するにつれ開き、逆に下方向に移動するにつれ閉じる力が働き、回転翼５の開閉動作が円滑に行われる。第１流路１及び第３流路３はケーシング８の上側に設け、各々その断面積を外側開口部に向かって拡大しているが、その効果は前記例と同様である。排砂門２６及び排砂扉２７の働きも前記例と同様である。このような構造の小水力発電装置は、堰の下流側面の傾斜が緩やかな場合に、前記請求項３の発電装置に比較して回転翼５が水流を受ける有効長さをやや大きくできるため、有利である。
【００１７】
図８は請求項４の垂直軸風水車を用いた請求項５の波力発電装置を海岸に設置する実施例で、図９は図８Ｙ−Ｙ線における断面図である。但し、図８では堤防の記載を省略してある。装置は波動が活発で、左右が適当規模のＶ字形を成した海岸に設置するのが好ましく、更にコンクリートまたは鋼板製の底板、側壁及び天井壁等から成る集波室２１を堤防の海側に設けている。そしてその岸側に十分な長さの回転軸６を水平方向とした請求項４の垂直軸風水車を設置し、集波室２１の後壁に第１往復流管９を接続し、第２往復流管１０は貯漕１６に接続している。このようにしたから、集波室２１の水位が波動で変動するに従い、当然貯漕１６の水位がそれに追随しようとして、往流と復流が交互に発生し、それにより請求項２の実施例で述べたと同様にして垂直軸風水車が働き、大量の海水で強力に回転させることができる。また、回転翼５は図４に示した構造として自重と均衡するほどの浮力を与えているので、上下何れの側でも回転翼５の開閉動作が容易である。尚、本例では仮想線で示すように潮汐による水位変動の影響を受けるが、該波力発電装置を十分な大きさの浮体上に設置すれば、潮汐による水位変動に追随して潮汐の影響を回避でき、かつ、波による装置の揺動を少なくできる。
【００１８】
図１０は回転軸６を垂直方向とする請求項２の垂直軸風水車を用いた、請求項５の波力発電装置の実施例を示す。前記例と同様にして往流は集波室２１から第１流路１と第３流路３を経て貯漕１６へ流れ、復流は貯漕１６から第４流路４と第２流路２を経て集波室２１へ流れ、その間に回転体２０と発電機１８を回転させ、発電する。本実施例では往復流に対し流路の上下の差が生じないので、前記例に比して均一な回転が得られる利点があるものの、縦方向寸法に制限があるため、比較的小規模の装置にしか適用できない不利点がある。
【００１９】
図１１は請求項３（イ）の特徴を有する垂直軸風水車を用いた請求項６の風力発電装置の実施例を示す斜視図、図１２は図１１のＺ−Ｚ線における断面図である。本例では回転軸６を水平方向とし、第１流路１はケーシング８の下側寄り、第３流路３は上側寄りとし、両流路は外側開口部に向かって各々断面積を拡大しているので、第１流路から流入した風流は密度を上げて回転翼５を回転させ、第３流路へ流出する。第１流路１入口を常に風向にするための手段として、ケーシング８中央下部の回転盤２２及び左右両端の風向板２３を設けているが、この手段は例えば風向を感知して油圧で回転盤２２を回転させる方法でも良く、本発明ではその手段に拘らない。また、風向が常に殆ど一定か、またはその逆方向である地域に本装置を設置する場合には、このような回転手段を省略することもできるし、または図１３に示すように回転盤２２に代わって複数の偏向板２４を第１流路１入口部に設け、これらを連結棒２５で連結し、中央の風向板２３と連動するようにして簡略化しても良い。このような風力発電装置は回転翼５の幅を長くして大量の風を利用することができるので、大型化しても装置高さを抑制することができる。
【００２０】
図１４は請求項３の垂直軸風水車を用いた、請求項７の小水力発電装置の実施例を示す軸直角方向断面図である。但し、排砂扉２７の駆動装置は表示を省略している。これに示すように、堰の上流側には格子２９が水流幅方向に対して傾斜して設けられているので、流木等の漂流物は堰の片側へ寄せられ、除去される。ケーシング８の下面にそれと一体化して設けられた排砂門２６の上流側は堰上面で開口し、下流側端は排砂扉２７で閉じられているため、格子を通過した砂礫は排砂門２６の下流側に落下し堆積する。排砂扉２７は定期的にあるいは増水時に具備した駆動手段により開けられるので、堆積した砂礫はこの時排出される。そして、請求項３の垂直軸風水車の実施例で述べたと同様にして、水流により水車２０が回転する。また、請求項４の垂直軸風水車を用いた請求項７の小水力発電装置については、図１４に於いて発電装置をそれと置換しただけで、格子２９及び排砂門２６と排砂扉２７の働きは上記と全く同様である。
【００２１】
【発明の効果】
本発明による垂直軸風水車、波力発電装置、風力発電装置及び小水力発電装置は、以上説明したように構成されているので、以下に記載する効果を有する。
【００２２】
請求項１の垂直軸風水車は、波力等を原動力とする往復流をケーシング８で囲われた室内で回転翼５の凹面側にのみ積極的に当て、凸面側にはケーシング８内に滞留した流体だけが接するので、従来構造のものより凸面側の流体抵抗を軽減し、エネルギーの変換効率を大きく改善することができる。
【００２３】
請求項２の垂直軸風水車は、流体流れを受けない側では回転翼５は閉じるだけでなく、ケーシング８内に滞留した流体にのみ接するので、回転翼５の凸面側の流体抵抗を著しく縮減し、極めて効率よく往復流から回転エネルギーを取り出すことができる。この構造の風水車は特に低圧低速の水流に対して効果的である。
【００２４】
請求項３の垂直軸風水車は、請求項２の垂直軸風水車を一方向流に利用できるようにしたもので、回転翼５の凸面側が閉じる構造を小水力発電装置や風力発電装置等に利用し、従来構造のものより効率を改善することができる。
【００２５】
請求項２に関わる請求項４の垂直軸風水車は、回転軸６が水平方向の場合に回転翼５が水中で自重と均衡するほどの浮力を有するため、往復水流に対し上下何れの側においても回転翼５の開閉動作が容易となる効果がある。請求項３に関わる請求項４の垂直軸風水車は、回転軸６を水平方向に限定し回転翼５に浮力を与えたから、回転翼５が自動的に上側で開き下側で閉じるようにしたうえで一方向水流を受け、回転体２０を回転させるようにすることができる。この構造は一方向水流の表層部の運動エネルギーを捕捉するのに適する。
【００２６】
請求項５の波力発電装置は、請求項２または請求項４の何れかの垂直軸風水車に海水を直接導入するので、海草による汚損対策を要するものの、他の液体の往復流に変換する装置に比較して簡単な構造の装置とすることができる。この装置は縦形と横形の何れとすることもできるが、特に横形では回転翼５の長さを大きくすることにより、大型化が比較的容易である。
【００２７】
請求項６の風力発電装置は、装置高さに依らず横幅を大きくすることにより大型化できるので、装置コストを抑制し、かつ保守を容易化できる。
【００２８】
請求項７の小水力発電装置は、既設の堰を利用して設置できるので、その建設費用を大幅に節減するだけでなく、既設設備の価値を更に高める効果がある。
【図面の簡単な説明】
【図１】図１は、請求項１の垂直軸風水車の実施例を示す断面図、
【図２】図２は、請求項２の垂直軸風水車の実施例を示す断面図、
【図３】図３は、請求項２の垂直軸風水車の回転翼５下部の例を示す斜視図、
【図４】図４は、請求項４に係る浮力を有する回転翼５の例を示す断面図、
【図５】図５は、請求項３の垂直軸風水車を小水力発電装置に利用した実施例を示す断面図、
【図６】図６は、請求項４の垂直軸風水車を小水力発電装置に利用した実施例を示す斜視図、
【図７】図７は、図６のＸ−Ｘ線における断面図、
【図８】図８は、請求項５の波力発電装置を横形とした実施例を示す斜視図、
【図９】図９は、図８のＹ−Ｙ線における断面図、
【図１０】図１０は、請求項５の波力発電装置を縦形とした実施例を示す斜視図、
【図１１】図１１は、請求項６の風力発電装置の実施例を示す斜視図、
【図１２】図１２は、図１１のＺ−Ｚ線における断面図、
【図１３】図１３は、風向板２３及び偏向板２４を示す斜視図、
【図１４】図１４は、請求項７の小水力発電装置の実施例を示す断面図である。
【符号の説明】
１    第１流路
２    第２流路
３    第３流路
４    第４流路
５    回転翼
５Ａ  翼軸受
５Ｂ  翼足
５Ｃ  翼空洞
５Ｄ  板ばね
６    回転軸
６Ａ  回転軸軸受
７    内筒
７Ａ  側板
７Ｂ  周方向リブ
７Ｃ  軸方向リブ
８    ケーシング
８Ａ  第１流路と第２流路間のケーシング
９    第１往復流管
１０  第２往復流管
１１  （第１流路用）弁体
１２  （第２流路用）弁体
１３  （第３流路用）弁体
１４  （第４流路用）弁体
１５  弁座
１６  貯漕
１７  小軸
１８  発電機
１９  弾性遮蔽板
２０  回転体
２１  集波室
２２  回転盤
２３  風向板
２４  偏向板
２５  連結棒
２６  排砂門
２７  排砂扉
２９  格子


【手続補正２】
【補正対象書類名】図面
【補正対象項目名】図３
【補正方法】変更
【補正の内容】
【図３】
2003120499.tif 000001
【手続補正３】
【補正対象書類名】図面
【補正対象項目名】図４
【補正方法】変更
【補正の内容】
【図４】
2003120499.tif 000002
【手続補正４】
【補正対象書類名】図面
【補正対象項目名】図５
【補正方法】変更
【補正の内容】
【図５】
2003120499.tif 000003
【手続補正５】
【補正対象書類名】図面
【補正対象項目名】図６
【補正方法】変更
【補正の内容】
【図６】
2003120499.tif 000004
【手続補正６】
【補正対象書類名】図面
【補正対象項目名】図７
【補正方法】変更
【補正の内容】
【図７】
2003120499.tif 000005
【手続補正７】
【補正対象書類名】図面
【補正対象項目名】図１４
【補正方法】変更
【補正の内容】
【図１４】
2003120499.tif 000006